(57)【特許請求の範囲】
【請求項１】
第１の通信端末から入力された第１の識別情報と、前記第１の通信端末の第１の通信アドレス情報を取得する第１の取得手段と、
前記第１の取得手段により取得された前記第１の識別情報と第１の通信アドレス情報が対応して記憶されるように、その記憶を制御する第１の記憶制御手段と、
第２の通信端末から入力された第２の識別情報と、前記第２の通信端末の第２の通信アドレス情報を取得する第２の取得手段と、
前記第１の識別情報と第２の識別情報とを比較し、その比較結果に対応して、前記第２の取得手段により取得された前記第２の通信アドレス情報が、前記第１の識別情報に対応して記憶されるように、その記憶を制御する第２の記憶制御手段と、
前記第１の通信端末から前記第１の識別情報を含む通信要求を取得する第３の取得手段と、
前記第１の通信端末から通信要求があった場合、通信要求に含まれる第１の識別情報に基づいて、前記第２の記憶制御手段に記憶された第１の識別情報に対応して記憶された第２の通信アドレス情報を特定し、前記第１の通信端末と第２の通信端末との通信を制御する通信制御手段と
を備えることを特徴とする情報処理装置。
【請求項２】
前記第１の通信端末と第２の通信端末の通信の度数が、前記第１の識別情報に対応して記憶されるように、その記憶を制御する第３の記憶制御手段を
さらに備えることを特徴とする請求項１に記載の情報処理装置。
【請求項３】
前記第１の通信端末と第２の通信端末の通信に関する料金の負担の割合が、前記第１の識別情報に対応して記憶されるように、その記憶を制御する第３の記憶制御手段を
さらに備えることを特徴とする請求項１に記載の情報処理装置。
【請求項４】
１つの前記第１の識別情報に対応して、複数の前記第１の通信アドレス情報と第２の通信アドレス情報が記憶されるように、その記憶を制御する第３の記憶制御手段を
さらに備えることを特徴とする請求項１に記載の情報処理装置。
【請求項５】
第１の通信端末から入力された第１の識別情報と、前記第１の通信端末の第１の通信アドレス情報を取得する第１の取得ステップと、
前記第１の取得ステップの処理により取得された前記第１の識別情報と第１の通信アドレス情報が対応して記憶されるように、その記憶を制御する第１の記憶制御ステップと、
第２の通信端末から入力された第２の識別情報と、前記第２の通信端末の第２の通信アドレス情報を取得する第２の取得ステップと、
前記第１の識別情報と第２の識別情報とを比較し、その比較結果に対応して、前記第２の取得ステップの処理により取得された前記第２の通信アドレス情報が、前記第１の識別情報に対応して記憶されるように、その記憶を制御する第２の記憶制御ステップと、
前記第１の通信端末から前記第１の識別情報を含む通信要求を取得する第３の取得ステップと、
前記第１の通信端末から通信要求があった場合、通信要求に含まれる第１の識別情報に基づいて、前記第２の記憶制御ステップの処理で記憶された第１の識別情報に対応して記憶された第２の通信アドレス情報を特定し、前記第１の通信端末と第２の通信端末との通信を制御する通信制御ステップと
を含むことを特徴とする情報処理方法。
【請求項６】
第１の通信端末から入力された第１の識別情報と、前記第１の通信端末の第１の通信アドレス情報を取得する第１の取得ステップと、
前記第１の取得ステップの処理により取得された前記第１の識別情報と第１の通信アドレス情報が対応して記憶されるように、その記憶を制御する第１の記憶制御ステップと、
第２の通信端末から入力される第２の識別情報と、前記第２の通信端末の第２の通信アドレス情報を取得する第２の取得ステップと、
前記第１の識別情報と第２の識別情報とを比較し、その比較結果に対応して、前記第２の取得ステップの処理により取得された前記第２の通信アドレス情報が、前記第１の識別情報に対応して記憶されるように、その記憶を制御する第２の記憶制御ステップと、
前記第１の通信端末から前記第１の識別情報を含む通信要求を取得する第３の取得ステップと、
前記第１の通信端末から通信要求があった場合、通信要求に含まれる第１の識別情報に基づいて、前記第２の記憶制御ステップの処理で記憶された第１の識別情報に対応して記憶された第２の通信アドレス情報を特定し、前記第１の通信端末と第２の通信端末との通信を制御する通信制御ステップと
を含むことを特徴とするコンピュータが読み取り可能なプログラムが記録されている記録媒体。
【請求項７】
ネットワークに接続される情報処理装置と、前記情報処理装置を介して他の通信端末と通信する通信端末とからなる通信システムにおいて、
前記情報処理装置は、
第１の前記通信端末から入力される第１の識別情報と、第１の前記通信端末の第１の通信アドレス情報を取得する第１の取得手段と、
前記第１の取得手段により取得された前記第１の識別情報と第１の通信アドレス情報が対応して記憶されるように、その記憶を制御する第１の記憶制御手段と、
第２の前記通信端末から入力される第２の識別情報と、第２の前記通信端末の第２の通信アドレス情報を取得する第２の取得手段と、
前記第１の識別情報と第２の識別情報とを比較し、その比較結果に対応して、前記第２の取得手段により取得された前記第２の通信アドレス情報が、前記第１の識別情報に対応して記憶されるように、その記憶を制御する第２の記憶制御手段と、
前記第１の通信端末から前記第１の識別情報を含む通信要求を取得する第３の取得手段と、
前記第１の通信端末から通信要求があった場合、通信要求に含まれる第１の識別情報に基づいて、前記第２の記憶制御手段に記憶された第１の識別情報に対応して記憶された第２の通信アドレス情報を特定し、前記第１の通信端末と第２の通信端末との通信を制御する通信制御手段と
を備え、
前記通信端末は、
前記情報処理装置の通信アドレス情報を記憶する記憶手段と、
前記識別情報を取得する第４の取得手段と、
前記第４の取得手段により前記識別情報が取得された場合、前記記憶手段により記憶されている前記通信アドレス情報を読み出す読み出し手段と、
前記読み出し手段により読み出された前記通信アドレス情報に基づいて前記情報処理装置と通信し、前記識別情報を前記情報処理装置に送信する送信手段と
を備える
ことを特徴とする通信システム。
【発明の詳細な説明】
【０００１】
【発明の属する技術分野】
本発明は、情報処理装置および方法、記録媒体、並びに通信システムに関し、特に、各通信端末が、相手側の通信アドレスを知らなくても、通信ができるようにした情報処理装置および方法、記録媒体、並びに通信システムに関する。
【０００２】
【従来の技術】
わが国においては、電話機が普及し、ほとんど各家庭毎に電話機が設置されるようになってきた。したがって、ユーザは各家庭から所定の相手に通話することができる。
【０００３】
このように各家庭毎に配置された電話機（以下、固定電話機と称する）に加えて、最近、携帯電話機（PHS(Personal  Handy-Phone  System)を含む）が急速に普及しつつある。この携帯電話機は、移動先において所定の相手と通信することができるという利便性を有するだけでなく、固定電話機のように、固定された位置に設置されるものではないため、いたずら電話などのような弊害がもたらされる恐れが少ないという利点も有する。
【０００４】
【発明が解決しようとする課題】
しかしながら、携帯電話機は、いたずら電話などの弊害が少ないものの、一度その電話番号を相手側に知らせてしまうと、しつこく勧誘を受けるなどの弊害がもたらされる恐れがある。
【０００５】
本発明はこのような状況に鑑みてなされたものであり、直接相手側の電話番号などを知らなくても通信することができるようにするものである。
【０００６】
【課題を解決するための手段】
請求項１に記載の情報処理装置は、第１の通信端末から入力された第１の識別情報と、第１の通信端末の第１の通信アドレス情報を取得する第１の取得手段と、第１の取得手段により取得された第１の識別情報と第１の通信アドレス情報が対応して記憶されるように、その記憶を制御する第１の記憶制御手段と、第２の通信端末から入力された第２の識別情報と、第２の通信端末の第２の通信アドレス情報を取得する第２の取得手段と、第１の識別情報と第２の識別情報とを比較し、その比較結果に対応して、第２の取得手段により取得された第２の通信アドレス情報が、第１の識別情報に対応して記憶されるように、その記憶を制御する第２の記憶制御手段と、第１の通信端末から第１の識別情報を含む通信要求を取得する第３の取得手段と、第１の通信端末から通信要求があった場合、通信要求に含まれる第１の識別情報に基づいて、第２の記憶制御手段に記憶された第１の識別情報に対応して記憶された第２の通信アドレス情報を特定し、第１の通信端末と第２の通信端末との通信を制御する通信制御手段とを備えることを特徴とする。
【０００９】
前記通信制御手段は、第１の通信端末または第２の通信端末から通信要求があった場合、第３の記憶制御手段の制御による記憶に基づいて、第１の通信端末と第２の通信端末との通信を制御するようにすることができる。
【００１０】
前記第１の通信端末と第２の通信端末の通信の度数が、第１の識別情報に対応して記憶されるように、その記憶を制御する第３の記憶制御手段をさらに設けることができる。
【００１１】
前記第１の通信端末と第２の通信端末の通信に関する料金の負担の割合が、第１の識別情報に対応して記憶されるように、その記憶を制御する第３の記憶制御手段をさらに設けることができる。
【００１２】
１つの前記第１の識別情報に対応して、複数の第１の通信アドレス情報と第２の通信アドレス情報情報が記憶されるように、その記憶を制御する第３の記憶制御手段をさらに設けることができる。
【００１３】
請求項５に記載の情報処理方法は、第１の通信端末から入力された第１の識別情報と、第１の通信端末の第１の通信アドレス情報を取得する第１の取得ステップと、第１の取得ステップの処理により取得された第１の識別情報と第１の通信アドレス情報が対応して記憶されるように、その記憶を制御する第１の記憶制御ステップと、第２の通信端末から入力された第２の識別情報と、第２の通信端末の第２の通信アドレス情報を取得する第２の取得ステップと、第１の識別情報と第２の識別情報とを比較し、その比較結果に対応して、第２の取得ステップの処理により取得された第２の通信アドレス情報が、第１の識別情報に対応して記憶されるように、その記憶を制御する第２の記憶制御ステップと、第１の通信端末から第１の識別情報を含む通信要求を取得する第３の取得ステップと、第１の通信端末から通信要求があった場合、通信要求に含まれる第１の識別情報に基づいて、第２の記憶制御ステップの処理で記憶された第１の識別情報に対応して記憶された第２の通信アドレス情報を特定し、第１の通信端末と第２の通信端末との通信を制御する通信制御ステップとを含むことを特徴とする。
【００１４】
請求項６に記載の記録媒体のプログラムは、第１の通信端末から入力された第１の識別情報と、第１の通信端末の第１の通信アドレス情報を取得する第１の取得ステップと、第１の取得ステップの処理により取得された第１の識別情報と第１の通信アドレス情報が対応して記憶されるように、その記憶を制御する第１の記憶制御ステップと、第２の通信端末から入力される第２の識別情報と、第２の通信端末の第２の通信アドレス情報を取得する第２の取得ステップと、第１の識別情報と第２の識別情報とを比較し、その比較結果に対応して、第２の取得ステップの処理により取得された第２の通信アドレス情報が、第１の識別情報に対応して記憶されるように、その記憶を制御する第２の記憶制御ステップと、第１の通信端末から第１の識別情報を含む通信要求を取得する第３の取得ステップと、第１の通信端末から通信要求があった場合、通信要求に含まれる第１の識別情報に基づいて、第２の記憶制御ステップの処理で記憶された第１の識別情報に対応して記憶された第２の通信アドレス情報を特定し、第１の通信端末と第２の通信端末との通信を制御する通信制御ステップとを含むことを特徴とする。
【００１９】
請求項７に記載の通信システムの情報処理装置は、第１の通信端末から入力される第１の識別情報と、第１の通信端末の第１の通信アドレス情報を取得する第１の取得手段と、第１の取得手段により取得された第１の識別情報と第１の通信アドレス情報が対応して記憶されるように、その記憶を制御する第１の記憶制御手段と、第２の通信端末から入力される第２の識別情報と、第２の通信端末の第２の通信アドレス情報を取得する第２の取得手段と、第１の識別情報と第２の識別情報とを比較し、その比較結果に対応して、第２の取得手段により取得された第２の通信アドレス情報が、第１の識別情報に対応して記憶されるように、その記憶を制御する第２の記憶制御手段と、第１の通信端末から第１の識別情報を含む通信要求を取得する第３の取得手段と、第１の通信端末から通信要求があった場合、通信要求に含まれる第１の識別情報に基づいて、第２の記憶制御手段に記憶された第１の識別情報に対応して記憶された第２の通信アドレス情報を特定し、第１の通信端末と第２の通信端末との通信を制御する通信制御手段とを備え、通信端末は、情報処理装置の通信アドレス情報を記憶する記憶手段と、識別情報を取得する第４の取得手段と、第４の取得手段により識別情報が取得された場合、記憶手段により記憶されている通信アドレス情報を読み出す読み出し手段と、読み出し手段により読み出された通信アドレス情報に基づいて情報処理装置と通信し、識別情報を情報処理装置に送信する送信手段とを備えることを特徴とする。
【００２０】
請求項１に記載の情報処理装置、請求項５に記載の情報処理方法、および請求項６に記載の記録媒体においては、第１の識別情報と第２の識別情報との比較結果に対応して、第２の通信アドレス情報が第１の識別情報に対応して記憶されるように、その記憶が制御され、第１の通信端末から第１の識別情報を含む通信要求が取得され、第１の通信端末から通信要求があった場合、通信要求に含まれる第１の識別情報に基づいて、記憶された第１の識別情報に対応して記憶された第２の通信アドレス情報が特定され、第１の通信端末と第２の通信端末との通信が制御される。
【００２２】
請求項７に記載の通信システムにおいては、情報処理装置で、第１の識別情報と第２の識別情報との比較結果に対応して、第２の通信アドレス情報が、第１の識別情報に対応して、記憶され、第１の通信端末から第１の識別情報を含む通信要求が取得され、第１の通信端末から通信要求があった場合、通信要求に含まれる第１の識別情報に基づいて、記憶された第１の識別情報に対応して記憶された第２の通信アドレス情報が特定され、第１の通信端末と第２の通信端末との通信が制御される。通信端末では、通信アドレス情報が記録され、識別情報が取得された場合、その通信アドレス情報に基づいて情報処理装置と通信が行われ、識別情報が送信される。
【００２３】
【発明の実施の形態】
図１は、本発明を適用した、通信システムの構成例を表している。この構成例においては、カード購入者３は、カード供給者１から、カード２を購入する。カード２の表面には、例えば図２（Ａ）に示すように、「電話を下さい」のようなメッセージが予め印刷されており、このカード２を購入したカード購入者３は、カード２に自分自身の氏名を、例えば「特許太郎」のように記載する。また、カード２には、カードIDが予め印刷されている。図２（Ａ）の例においては、カードIDとして「０１３２９」が印刷されている。
【００２４】
このカード２の裏面には、例えば図２（Ｂ）に示すように、「Ｓ社の電話機でカードIDとあなたの電話番号を入力して下さい」のようなメッセージがさらに印刷されている。
【００２５】
カード購入者３は、このようなカード２をカード供給者１から購入すると、そのカードIDを通信端末４−１に入力する。この例の場合、通信端末４−１は、Ｓ社の通信端末で構成されており、通信端末４−１からネットワーク６を介して、ネットワーク制御装置７に通信が行われ、通信端末４−１の電話番号と、カードIDが対応して、データベース８に登録される。
【００２６】
一方、カード購入者３は、カード２を、連絡をしてもらいたいと思う第３者に、名刺のようにして、手渡す（提供する）。カード２を手渡されたカード受領者５は、自分自身の通信端末４−２（この例の場合、この通信端末も、Ｓ社の通信端末で構成されている）を利用してカード２のIDを入力すると、そのIDと通信端末４−２の電話番号が、ネットワーク６を介してネットワーク制御装置７に送信され、データベース８に登録される。
【００２７】
このようにして、ネットワーク制御装置７のデータベース８に、カード２のIDと、通信端末４−１，４−２の電話番号が登録されると、カード購入者３、またはカード受領者５が、それぞれ通信端末４−１または通信端末４−２を利用して、一方から他方に通話を行うことができるようになる。
【００２８】
図３はこのような制御を行うネットワーク制御装置７の構成例を表している。CPU（Central  Processing  Unit）２１は、ROM（Read  Only  Memory）２２に記憶されているプログラムにしたがって各種の処理を実行する。RAM（Random  Access  Memory）２３には、CPU２１が各種の処理を実行する上において必要なプログラムやデータなどが適宜記憶される。
【００２９】
CPU２１には、バス２４を介して入出力インタフェース２５が接続されている。入出力インタフェース２５には、キーボードやマウスなどよりなる入力部２６や、ディスプレイ、スピーカなどより構成される出力部２７が接続されている。入出力インタフェース２５は、入力部２６からの入力をCPU２１に出力するとともに、CPU２１からの処理に対応して出力部２７に音声データや画像データを出力する。
【００３０】
記憶部２８は、ハードディスクドライブ、フロッピーディスクドライブ、光磁気ディスクドライブなどにより構成され、それぞれのディスクに対して、データやプログラムなどを記録または再生する。この記憶部２８は、図１に示すデータベース８を構成する。通信部２９は、ネットワーク６を介して通信端末４−１，４−２などと通信する。
【００３１】
図４は、記憶部２８により構成されるデータベース８の記憶内容の例を表している。この例においては、カードID（例えば、０１３２９）に対応して、カード提供者（カード購入者）の通信アドレス（具体的には電話番号）（例えば、１２３４−５６７８）、およびカード受領者の通信アドレス（例えば、３４５６−７８９０）が記憶されている。また、そのカード提供者とカード受領者の間で通信を行った場合における、その通信に関する料金のカード提供者の負担割合（例えば、０．７）と、カード受領者の負担割合（例えば、０．３）が、カードIDに対応して記録されている。さらにこのカードIDに対応して、そのカードIDに対応して通信を行うことが可能な回数（度数）（例えば、５０回）がさらに記録されている。また、この例においては、カードIDに対応して、発信可能者がカード提供者であるのか、カード受領者であるのか、またはそのいずれでもよいのかが記録されている。
【００３２】
図５は通信端末４−１，４−２（以下、これらを個々に区別する必要がない場合、単に通信端末４と記載する）の構成例を表している。CPU４１は、ROM４２に記憶されているプログラムにしたがって各種の処理を実行する。RAM４３には、CPU４１が、各種の処理を実行する上において必要なプログラムやデータなどが適宜記録される。CPU４１には、バス４４を介して、入出力インタフェース４５が接続されている。入出力インタフェース４５には、プッシュボタンなどにより構成されるダイヤル入力部４６、ユーザの音声信号を取り込むマイクロフォン４７、相手側からの音声を出力するスピーカ４８、文字や画像などを表示するLCD（Liquid  Crystal  Display）４９が接続されている。通信部５０は、ネットワーク６を介して、他の通信端末やネットワーク制御装置７と通信する。
【００３３】
次に図６乃至図８のタイムチャート、並びに図９乃至図１６のフローチャートを参照して、その動作について説明する。なお図９乃至図１６は、図６乃至図８のタイムチャートにおけるカード供給者１（図９）、カード購入者３（図１０）、通信端末４−１（図１１、図１２）、ネットワーク制御装置７（図１３、図１４）、通信端末４−２（図１５）、またはカード受領者５（図１６）の、ぞれぞれの動作を示すフローチャートである。これらのフローチャートに示す各ステップの番号は、図６乃至図８に記載した各ステップの番号に対応している。
【００３４】
最初にステップＳ１１において、カード供給者１は、カード２を発行し、カード購入者３に引き渡す。カード購入者３は、ステップＳ２１において、このカード２を購入し、ステップＳ２２において、このカード２の代金を支払う。ステップＳ１２において、カード供給者１は、カード購入者３の支払った料金を受領する。
【００３５】
なお、このように、料金の支払いと受領は、カード購入時に行うようにしてもよいが、クレジットカードなどにより、後で決済するようにしてもよいのはもちろんである。
【００３６】
このように、カード２を購入すると、カード購入者３は、ステップＳ２３において、通信端末４−１のダイヤル入力部４６を操作し、カード２に印刷されているID（例えば、「０１３２９」）を入力する。CPU４１は、入出力インタフェース４５を介してこのIDの入力を受けると、ステップＳ４１において、今、取り込まれたカードIDに対応する発呼先の電話番号をROM４２から読み出す。さらにまた、CPU４１は、ROM４２に記憶されている自分自身の（通信端末４−１の）電話番号を読み出す。通信端末４−１が、Ｓ社の通信端末である場合、Ｓ社、カード供給者１，およびネットワーク制御装置７の管理者は、予め契約しているので、ROM４２には、ネットワーク制御装置７の電話番号と通信端末４−１の電話番号が予め記憶されている。
【００３７】
ステップＳ４２において、CPU４１は、通信部５０を制御し、ステップＳ４１で読み出された発呼先の電話番号に発呼させる。この発呼先の電話番号としては、ネットワーク制御装置７の電話番号を予めROM４２に記録されている。したがって、この発呼動作により、通信端末４−１からネットワーク制御装置７に対して発呼動作が行われる。さらにCPU４１は、通信部５０に、ステップＳ４１で取得されたカードIDと自分自身の電話番号を、ネットワーク制御装置７に送信させる。
【００３８】
ネットワーク制御装置７の通信部２９は、ステップＳ７１において、通信端末４−１から送信されてきたカードIDと電話番号を受信すると、これを入出力インタフェース２５を介してCPU２１に出力する。CPU２１は、取得されたカードIDが記録部２８のデータベース８に記録されているか否かを検索する。カード供給者１は、カード２を発行したとき、そのカードIDと、そのカード２を用いて利用可能な度数、通信料金の負担割合、発信可能者などの情報を、ネットワーク制御装置７に通知する。ネットワーク制御装置７のCPU２１は、この通知を受けると、カードIDに対応して、これらの情報をデータベース８に予め登録しておく。そこでCPU２１は、データベース８を検索することで、カードIDの度数を確認することができる。
【００３９】
次にステップＳ７２（図１３のステップＳ７２−１）において、CPU２１は、カードIDが無効であるか（データベース８に登録されていないか）、または、登録されていたとしても、残度数がないか（残っている度数が０であるか）を判定する。データベース８にステップＳ７１で取得されたカードIDが登録されていない場合、または登録されていたとしても、その度数が０である場合、ステップＳ７２−２に進み、CPU２１は、通信部２９を制御し、通信端末４−１にその旨を通知させる。
【００４０】
この通知が行われたとき、通信端末４−１のCPU４１は、ステップＳ４３において、通信部５０を介して、この通知を受信すると、ステップＳ４４において、この通知をLCD４９に出力し、表示させる。カード購入者３は、ステップＳ２４において、このLCD４９の表示を見て、その通知の内容を確認する。すなわち、これによりカード購入者３は、そのカードIDは、使用することができないものであることを知ることができる。
【００４１】
ステップＳ７２−１において、カードIDが、データベース８に登録されており、且つ、その度数がまだ残っていると判定された場合、ステップＳ７２−２の通知処理はスキップされる。
【００４２】
なお、カードIDを度数毎に設定させるようにするなどして、カードIDが判った場合には、対応する度数も判るようにしておくようにすることも可能である。
【００４３】
次にステップＳ７３に進み、ネットワーク制御装置７のCPU２１は、カードIDに対応して、通信端末４−１から送信されてきた電話番号をデータベース８に登録させるとともに、そのその度数を所定の値（例えば１）だけ、デクリメントさせる。
【００４４】
次にステップＳ７４において、CPU２１は通信部２９を制御し、カード購入者３の情報（通信端末４−１の電話番号）が登録されたことを表すメッセージ  の通知を送信させる。通信端末４−１のCPU４１は、ステップＳ４５において、通信部５０を介して、このメッセージを受信すると、ステップＳ４６において、そのメッセージをLCD４９に出力し、表示させる。カード購入者３はステップＳ２５において、LCD４９に表示されたメッセージ（通知）を確認する。すなわちこれにより、カード購入者３は、自分自身の電話番号がデータベース８に登録されたことを知ることができる。
【００４５】
そこでステップＳ２６において、カード購入者３は、カード２を電話をしてもらいたい相手に配布する。カード購入者３が、例えば学生であれば、このカード２は、カード購入者３が、友人になりたいと思っている相手に配布される。また、カード購入者３が営業マンであれば、カード２は、自分自身が取り扱う商品について説明をした顧客に対して配布される。
【００４６】
カード２を受領したカード受領者５は、カード購入者３と特に連絡をとりたいと思わないときは、何もしない。これに対して、カード購入者３と連絡をとってみたいと思う場合には、ステップＳ１３２において、カード受領者５は、通信端末４−２のダイヤル入力部４６を操作し、受領したカード２に印刷されているカードIDを入力する。通信端末４−２のCPU４１は、ダイヤル入力部４６から入力されたカードIDを取り込むと、ステップＳ１０１において、そのカードIDに対応する発呼先電話番号と自分自身の電話番号をROM４２から読み出す。すなわち通信端末４−２も、Ｓ社の通信端末であるため、そのROM４２には、ネットワーク制御装置７の電話番号と自分自身（通信端末４−２）の電話番号が予め登録されている。ステップＳ１０２において、通信端末４−２のCPU４１は、通信部５０を制御し、ネットワーク制御装置７に発呼動作を行わせる。そして、ネットワーク制御装置７との間において回線が接続されたとき、CPU４１は、ステップＳ１０１で取得されたカードIDと自分自身の電話番号を、ネットワーク制御装置７に送信させる。
【００４７】
ネットワーク制御装置７のCPU２１は、ステップＳ７５（図１３のステップＳ７５−１）において、通信端末４−２から送信されてきたカードIDに対応するカードIDを、データベース８上で検索する。そしてステップＳ７５−２において、CPU２１は、検索結果に基づいて、対応するカードIDがデータベース８に登録されており、かつ、他のカード受領者が未登録であるか否かを判定する。カードIDが登録されていないか、または登録されていたとしても、既に、他のカード受領者５の電話番号が登録されている場合には、ステップＳ７６において、CPU２１は、通信部２９を制御し、カードIDがデータベース８に登録されていないか、または、既に他のカード受領者が登録されているので、相手側に連絡をすることができない旨のメッセージを出力させる。通信端末４−２のCPU４１は、ステップＳ１０３において、このメッセージの通知を受信すると、ステップＳ１０４において、このメッセージをLCD４９に出力し、表示させる。カード受領者５は、ステップＳ１３３において、LCD４９のメッセージを見て、この通知の内容を確認する。
【００４８】
このように、例えば、カード受領者５が、カード２を受領したとしても、カード購入者３が予め自分自身の電話番号などをデータベース８に登録していないか、または登録されていたとしても、他のカード受領者５の電話番号が先に登録されていれば、カード受領者５がカード購入者３と連絡することができないことになる。すなわち、この例では、最初にデータベース８に登録されたカード受領者のみがカード配布者（カード購入者３）と通話を行うことが可能となる。
【００４９】
ステップＳ７５−２において、ネットワーク制御装置７のCPU２１は、データベース８からカードIDが検索され、かつ、他のカード受領者の電話番号が登録されていないと判定した場合、ステップＳ７７（図１３のステップＳ７７−１）に進み、そのカードIDに対応するカード受領者５の通信料金の負担割合を読み取る。ステップＳ７７−２において、CPU２１は、カード受領者５の負担割合が有料であるか否かを判定し、有料である場合にはステップＳ７７−３において、通信部２９を制御し、カード受領者５の通信に対する負担割合を表すメッセージを送信させる。例えばカードIDが「０１３２９」である場合、図４に示すように、カード受領者５の負担割合は、「０．３」とされているので、これを表すメッセージが通知される。
【００５０】
通信端末４−２のCPU４１は、ステップＳ１０５において、このメッセージを通信部５０を介して受信すると、ステップＳ１０６において、このメッセージをLCD４９に出力し、表示させる。カード受領者５は、ステップＳ１３４において、この通知を確認する。そしてカード受領者５は、ステップＳ１３５（図１６のステップＳ１３５−１）において、通知を受けた割合を負担する意志があるか否かを判定し、意志がない場合には、ステップＳ１３５−２に進み、通話を終了させる。すなわちカード受領者５は、ダイヤル入力部４６を制御し、通話の処理を終了する。CPU４１はこの指令を受けたとき、通信部５０を制御し、通話の処理を終了させる。
【００５１】
一方、通知された割合を負担する意志がある場合には、ステップＳ１３６において、カード受領者５は、ダイヤル入力部４６の所定のボタンを操作し、負担数る意志がある旨を入力する。CPU４１は、ステップＳ１０７において、カード受領者５からの入力を受け付けると、ステップＳ１０８において、通信部５０を制御し、対応する通知を出力させる。ステップＳ７７−２において、カード受領者５の負担割合が有用ではないと判定された場合には、ステップＳ７７−３の通知処理はスキップされる。
【００５２】
そしてステップＳ７８において、CPU２１は、ステップＳ１０８において、通信端末４−２のCPU４１がROM４２から読み出して送信してきた通信端末４−２の電話番号を、同時に送信されてきたカードIDに対応して登録する。このようにして、例えば、図４に示すように、カードID「０１３２９」に対応して、カード購入者３の電話番号「１２３４−５６７８」と、カード受領者５の電話番号「３４５６−７８９０」が、登録された状態となる。
【００５３】
ステップＳ７９において、ネットワーク制御装置７のCPU２１は、データベース８に登録されているカード受領者５の負担割合の分をカード受領者５に対して請求する。ステップＳ１３７において、カード受領者５は、この請求を受け取ると、ステップＳ１３８において、その請求に対応する支払いを行う。ステップＳ８０において、ネットワーク制御装置７はカード受領者５からの支払いを受け取ると、ステップＳ８１において、その受け取った分をカード購入者３に対して支払う。カード購入者３はステップＳ２７において、その支払いを受け取る。
【００５４】
すなわちカード購入者３は、カード２をカード供給者１から購入する段階において、カード受領者５が負担すべき割合を含めて、カード供給者１に支払いを行っているので、カード受領者５の負担の割合分の支払いをこの時受け取るのである。
【００５５】
もちろんこのようなカード受領者５の負担分の支払いは、このようなタイミングで行われなくてもよい。クレジットカードなどで、後に相殺したり、カード購入時には、カード購入者３には、自分自身の負担割合の分だけを支払わせ、カード受領者５の負担割合については、カード受領者５からネットワーク制御装置７の管理者に対して、支払わせるようにすることも可能である。この場合、ステップＳ８１とステップＳ２７の処理は省略される。
【００５６】
以上のようにして、カード購入者（カード提供者）３とカード受領者５の両方の電話番号がデータベース８に登録されると、カード購入者３からカード購入者５を、または、カード受領者５からカード購入者３を、それぞれ呼び出すことが可能となる。
【００５７】
図８は、カード購入者３からカード受領者５を呼び出す場合の処理例を表している。この場合、ステップＳ２８において、カード購入者３は通信端末４−１のダイヤル入力部４６を操作し、カードIDを入力する。CPU４１は、ステップＳ４７において、カードIDを取り込むと、ROM４２に記憶されているカードIDに対応する発呼先の電話番号を読み出し（ネットワーク制御装置７の電話番号を読み出し）、さらに自分自身の電話番号を読み出す。そしてステップＳ４８において、CPU４１は、通信部５０を制御し、ネットワーク制御装置７に対して発呼動作を行わせ、ステップＳ４７で取り込んだカードIDと自分自身の電話番号をネットワーク制御装置７に送信させる。
【００５８】
ネットワーク制御装置７のCPU２１は、ステップＳ８２（図１４のステップＳ８２−１）において、カードIDを取り込むと、データベース８上で、対応するカードIDを検索する。ステップＳ８２−２において、CPU２１は、検索の結果、カードIDが登録されているか否かを判定し、登録されていない場合はステップＳ８３に進み、通信部２９を制御し、カードIDが登録されていない旨のメッセージを送信させる。通信端末４−１のCPU４１は、ステップＳ４９において、この通知を受信すると、ステップＳ５０においてこの通知をLCD４９に出力し、表示させる。カード購入者３はステップＳ２９において、この通知を確認する。
【００５９】
ステップＳ８２−２において、カードIDがデータベース８に登録されていると判定された場合、ステップＳ８４（図１４のステップＳ８４−１）に進み、ネットワーク制御装置７のCPU２１は、相手側の電話番号と、発信可能者を調べる。すなわち今の場合、カード購入者３側から発呼動作が行われたので、相手側としてのカード受領者５側の電話番号が登録されているか否かが調べられるとともに、発信可能者として登録されているのが、発呼動作を行ったカード購入者３であるか否かが調べられる。
【００６０】
ステップＳ８４−２において、CPU２１は、ステップＳ８４−１における検索の結果に基づいて、相手側の電話番号が登録されており、且つ、発呼者が発信可能者であるか否かをを判定する。相手側の電話番号が登録されていないか、または発呼者（今の場合、カード購入者３）が発信可能者でない場合には、ステップＳ８５に進み、CPU２１は、通信部２９を制御し、相手側に通信できない旨のメッセージを発生させる。このメッセージはステップＳ５１において、通信端末４−１の通信部５０により受信される。この時、通信端末４−１のCPU４１は、ステップＳ５２において、通信部５０で受信したメッセージをLCD４９に出力し、表示させる。カード購入者３は、ステップＳ３０において、この通知の内容を確認する。これによりカード購入者３は、例えば、カード２をカード受領者５に配布したが、カード受領者５が自分自身の電話番号をデータベース８に登録しなかったので、通話することができないことを知ることができる。
【００６１】
これに対してステップＳ８４−２において、相手側の電話番号がデータベース８に登録されており、且つ発呼者が発信可能者としてデータベース８に登録されていると判定された場合、ステップＳ８６に進み、ネットワーク制御装置７のCPU２１は、通信部２９を制御し、データベース８に登録されている相手側の電話番号に対する発呼動作を行わせる。通信端末４−２の通信部５０は、ステップＳ１０９において、ネットワーク制御装置７からの発呼信号を検知すると、CPU４１は、スピーカ４８とLCD４９を制御し、通信端末４−１からの呼び出しがあったことを出力させる。カード受領者５はステップＳ１３９において、この通知を確認するとダイヤル入力部４６を操作して、CPU４１に通話の開始を指令する。これにより、以後、カード購入者３とカード受領者５が、お互いの通信端末４−１と通信端末４−２を介して通話することが可能となる。
【００６２】
図１７は以上の動作を模式的に表している。すなわちこの例においては、カード購入者３がカード供給者１からカード２を購入し、その購入したカード２をカード受領者５に配布する。そしてカード購入者３とカード受領者５の両方がネットワーク制御装置７のデータベース８に通信端末４−１または通信端末４−２の電話番号を登録すると、カード購入者３から発呼動作を行い、カード受領者５と通話を行うことができことになる。
【００６３】
一方、図６と図７に示す処理が完了した状態において、すなわちカード購入者３とカード受領者５の両方の電話番号がデータベース８に登録された状態において、カード受領者５側からカード購入者３側に発呼動作をを行うことも可能である。図１８は、この場合の処理例を表している。
【００６４】
図１８のカード購入者３（図１９）、通信端末４−１（図２０）、ネットワーク制御装置７（図２１）、通信端末４−２（図２２）、およびカード受領者５（図２３）の各処理は、図１９乃至図２３のフローチャートにもそれぞれ個別に示されている。
【００６５】
ステップＳ１４０において、カード受領者５が通信端末４−２のダイヤル入力部４６を操作してカードIDを入力すると、CPU４１は、ステップＳ１１１において、取り込まれたカードIDに対応する発呼先の電話番号（ネットワーク制御装置７の電話番号）と自分自身の電話番号をROM４２から読みだす。そしてステップＳ１１２において、CPU４１は、通信部５０を制御し、ROM４２から読み出されたネットワーク制御装置７の電話番号に対する発呼動作を実行させ、ネットワーク制御装置７と回線が接続されたとき、取り込まれたカードIDと自分自身の電話番号をネットワーク制御装置７に送信させる。
【００６６】
ネットワーク制御装置７においてCPU２１は、ステップＳ８７（図２１のステップＳ８７−１）において、通信部２９で通信端末４−２からのカードIDと電話番号を受信すると、カードIDに対応するIDをデータベース８上で検索する。CPU２１は、ステップＳ８７−２において、カードIDが検索されたか否かを判定し、検索されない場合には、ステップＳ８８に進み、通信部２９を制御し、カードIDが登録されていない旨を表すメッセージを発生させ、通信端末４−２に送信させる。通信端末４−２のCPU４１は、ステップＳ１１３において、ネットワーク制御装置７からのメッセージを受信すると、ステップＳ１１４において、これをLCD４９に出力し、表示させる。ステップＳ１４１において、カード受領者５は、このメッセージを確認する。これによりカード受領者５は、カードIDがデータベース８に登録されておらず、相手側と連絡することができないことを知ることができる。
【００６７】
ただし、いまの場合、上述したように、カード受領者５の電話番号がデータベース８に登録された後に、カード受領者５からカード購入者３に対してアクセスが行われるので、何等かのエラーが発生しない限り、対応するカードIDが登録されていないというようなことはあり得ない。
【００６８】
ステップＳ８７−２において、カードIDがデータベース８に登録されていると判定された場合、ステップＳ８９（図２１のステップＳ８９−１）に進み、ネットワーク制御装置７のCPU２１は、データベース８に相手側の電話番号と発信可能者がカード購入者とカード利用者のいずれであるのかを調べる。ステップＳ８９−２において、CPU２１は、データベース８に相手側の電話番号が登録されており、且つ発呼者が発信可能者であるか否かを判定する。相手側（いまの場合、カード購入者３）の電話番号が登録されていないか、または登録されていたとしても、発信可能者がカード受領者ではない場合には（カード購入者である場合には）、ステップＳ９０に進み、CPU２１は、通信部２９を制御し、その旨を表すメッセージを送信させる。ステップＳ１１５において、通信端末４−２のCPU４１は、このメッセージを受信すると、そのメッセージをステップＳ１１６において、LCD４９に出力し、表示させる。カード受領者５は、ステップＳ１４２において、その通知の内容を確認する。
【００６９】
ステップＳ８９−２において、データベース８に相手側の電話番号が登録されており、且つカード受領者が発信可能者として登録されていると判定された場合、ステップＳ９１に進み、CPU２１は、通信部２９を制御し、データベース８に登録されている相手側を呼び出す処理を実行させる。通信端末４−１のCPU４１は、ステップＳ５３において、この発呼動作を検知すると、ステップＳ５４において、スピーカ４８とLCD４９を制御し、呼び出しをカード購入者３に通知させる。ステップＳ３１において、カード購入者３は、この呼び出しの通知を確認すると、ダイヤル入力部４６を操作して、CPU４１に通話の開始を指令する。CPU４１は、この指令に対応して、通信部５０を制御し、通信端末４−２との通話を開始させる。
【００７０】
図２４は、以上の動作を模式的に表している。すなわちこの例においては、図１７と比較して明らかなように、カード購入者３がカード受領者５に発呼動作を行うのではなく、カード受領者５がカード購入者３に対して発呼動作を行っている。
【００７１】
カードIDが、例えば、図４に示す「０１３２９」であり、カード購入者３（カード提供者）の電話番号が「１２３４−５６７８」であり、カード受領者の電話番号が「３４５６−７８９０」である場合には、発信可能者がカード提供者とされているので、図１７に示すように、カード購入者３がカード受領者５を呼び出すことが許容される。これに対して、図２４に示すように、カード受領者５側からカード購入者３側を呼び出すことは許容されない。
【００７２】
これに対して、図４に示すように、カードIDが「０１９２５」である場合、発信可能者がカード受領者であるとされているので、図２４に示すように、カード受領者５がカード購入者３を呼び出すことが許容され、図１７に示すように、カード購入者３が、カード受領者５を呼び出すことは許容されない。
【００７３】
一方、図４に示すように、カードIDが「０１３２９」であり、カード購入者３（カード提供者）の電話番号（ファックス番号）が「１２３４−５６７９」である場合、発信可能者として、カード提供者とカード受領者のいずれもが登録されているので、図１７に示すように、カード購入者３からカード購入者５を呼び出すことが許容されるとともに、図２４に示すように、カード受領者５からカード購入者３を呼び出すことも許容される。
【００７４】
なお、通信端末４がＳ社（契約者）の通信端末ではない場合、ROM４２にはネットワーク制御装置７の電話番号は記憶されていない。この場合、カード購入者３およびカード受領者５は、ダイヤル入力部４６を直接操作して、電話番号を入力する。従って、この場合、カード２に、ネットワーク制御装置７の電話番号が印刷される。
【００７５】
上記の例においては、１人のカード受領者のみが、カード購入者と通話できるようにしたが、任意の数の複数のカード受領者がカード購入者と通話できるようにしてもよいのはもとよりである。
【００７６】
図２５は、通信端末４を、携帯電話機４−１Ａ，４−２Ａで構成した場合のネットワークの構成例を表している。この例においては、携帯電話機４−１Ａが、無線基地局６Ａ−１と移動電話網６Ａを介してデータベース８Ａを有する回線制御装置７Ａに接続されている。また携帯電話機４−２Ａは、無線基地局６Ａ−２を介して移動電話６Ａに接続されている。このシステムにおいても、上述した場合と同様の処理を実行することが可能である。
【００７７】
図２６は、他の通信システムの構成例を示している。この例においては、通信端末が、例えばパーソナルコンピュータなどにより構成される電子メールチャット装置４−１Ｂ，４−２Ｂで構成されている。これらは、インターネット６Ｂを介してデータベース８Ｂを有するアドレス変換サーバ７Ｂに接続されている。アドレス変換サーバ７Ｂは、上述したネットワーク制御装置７に対応する。この通信システムにおいては、授受される情報がテキストデータとなる。この場合においても、上述した場合と同様の処理を実行することが可能である。
【００７８】
図２７は、さらに他の通信システムの例を表している。このシステムにおいては、通信端末として固定電話機４−１Ｃ，４−２Ｃと、ファクシミリ装置４−１Ｄ，４−２Ｄが用いられている。これらは固定電話網６Ｃを介してサービス制御局７Ｃに接続されている。サービス制御局７Ｃは、データベース８Ｃを有している。このサービス制御局７Ｃが、上述したネットワーク制御装置７に対応する。
【００７９】
この例においては、授受されるデータは音声データまたはファクシミリ装置４−１Ｄ，４−２Ｄで取り込んだ原稿の画像データとなる。
【００８０】
このようにカード購入者３側、およびカード受領者５側に、それぞれ複数の通信端末が存在する場合、１つのカードIDを、複数の通信端末に対応させるようにすることもできる。
【００８１】
例えば、図４に示す例においては、カードID「０１３２９」が、固定電話機４−１Ｃ，４−２Ｃに対応して登録されている（固定電話機４−１Ｃの電話番号は「１２３４−５６７８」とされ、固定電話機４−２Ｃの電話番号は、「３４５６−７８９０」とされている）だけでなく、ファクシミリ装置４−１Ｄ，４−２Ｄにも適用されている。但し、図４の例は、ファクシミリ装置４−１Ｄのファクシミリ番号が「１２３４−５６７９」として登録されているが、ファクシミリ装置４−２Ｄのファクシミリ番号はまだ登録されていない状態とされている。
【００８２】
図２８は、カード２の他の構成例を表している。この構成例においては、カード２はICカードとして構成されている。この場合、通信端末４は、ICカードに対するリーダーライタとして構成される。通信機器インタフェース７１は、電波、赤外線などを利用して、リーダライタとして構成される通信端末４と通信する。ID記憶メモリ７２には、カードIDと、ネットワーク制御装置７の電話番号が記録される。データメモリ７３には、授受されるデータが記憶される。
【００８３】
上述した一連の処理は、ハードウエアにより実行させることもできるが、ソフトウエアにより実行させることもできる。一連の処理をソフトウエアにより実行させる場合には、そのソフトウエアを構成するプログラムが、記録媒体からコンピュータにインストールされ、実行される。例えば、図３に示すネットワーク制御装置７の場合、記憶部２８を構成するハードディスクに記録されているプログラムが、RAM２３にインストールされ、CPU２１により実行される。この記録媒体が、図２９に示すように、磁気ディスク７１、光ディスク７２、光磁気ディスク７３、半導体メモリ７４などのいわゆるパッケージメディアである場合、そのドライブ３０から読み出されたプログラムが、RAM２３にインストールされ、CPU２１により実行される。
【００８４】
本明細書において、システムとは、複数の装置により構成される装置全体を表すものである。
【００８５】
【発明の効果】
以上の如く、請求項１に記載の情報処理装置、請求項５に記載の情報処理方法、および請求項６に記載の記録媒体によれば、第１の識別情報と第２の識別情報とを比較し、その比較結果に対応して、第２の通信アドレス情報を第１の識別情報に対応して記憶し、第１の通信端末から第１の識別情報を含む通信要求を取得し、第１の通信端末から通信要求があった場合、通信要求に含まれる第１の識別情報に基づいて、記憶された第１の識別情報に対応して記憶した第２の通信アドレス情報を特定し、第１の通信端末と第２の通信端末との通信を制御するようにしたので、通信端末がそれぞれ相手側の通信アドレス情報を知らずとも、通信することが可能となる。従って、希望しない相手から、必要以上にアクセスされるようなことが防止される。
【００８７】
請求項７に記載の通信システムによれば、情報処理装置において、第１の識別情報と第２の識別情報との比較結果に対応して、第２の通信アドレス情報を第１の識別情報に対応して記憶し、第１の通信端末から第１の識別情報を含む通信要求を取得し、第１の通信端末から通信要求があった場合、通信要求に含まれる第１の識別情報に基づいて、記憶された第１の識別情報に対応して記憶した第２の通信アドレス情報を特定し、第１の通信端末と第２の通信端末との通信を制御するようにし、通信端末において、識別情報が取得された場合、記憶されている通信アドレス情報を情報処理装置に送信するようにしたので、通信端末相互において、相手側の通信アドレス情報を知らない状態で、簡単に、通信が可能なシステムを実現することが可能となる。
【図面の簡単な説明】
【図１】本発明を適用した通信システムの構成例を示すブロック図である。
【図２】図１のカード２に印刷されている情報を説明する図である。
【図３】図１のネットワーク制御装置７の構成例をブロック図である。
【図４】図１のデータベース８の登録例を示す図である。
【図５】図１の通信端末４の構成例を示すブロック図である。
【図６】図１の通信システムの動作を説明するタイミングチャートである。
【図７】図１の通信システムの動作を説明するタイミングチャートである。
【図８】図１の通信システムの動作を説明するタイミングチャートである。
【図９】図１のカード供給者１の動作を説明するフローチャートである。
【図１０】図１のカード購入者３の動作を説明するフローチャートである。
【図１１】図１の通信端末４−１の処理を説明するフローチャートである。
【図１２】図１の通信端末４−１の処理を説明するフローチャートである。
【図１３】図１のネットワーク制御装置７の処理を説明するフローチャートである。
【図１４】図１のネットワーク制御装置７の処理を説明するフローチャートである。
【図１５】図１の通信端末４−２の処理を説明するフローチャートである。
【図１６】図１のカード受領者５の処理を説明するフローチャートである。
【図１７】図１の通信システムの処理を説明する図である。
【図１８】図１の通信システムの動作を説明するタイミングチャートである。
【図１９】図１８のタイミングチャートに対応するカード購入者３の処理を説明するフローチャートである。
【図２０】図１８のタイミングチャートに対応する通信端末４−１の処理を説明するフローチャートである。
【図２１】図１８のタイミングチャートに対応するネットワーク制御装置７の処理を説明するフローチャートである。
【図２２】図１８のタイミングチャートに対応する通信端末４−２の処理を説明するフローチャートである。
【図２３】図１８のタイミングチャートに対応するカード受領者５の処理を説明するフローチャートである。
【図２４】図１の通信システムにおける処理を説明する図である。
【図２５】本発明を適用した他の通信システムの構成例を示すブロック図である。
【図２６】本発明を適用した他の通信システムの構成例を示すブロック図である。
【図２７】本発明を適用した他の通信システムの構成例を示すブロック図である。
【図２８】図１のカード２の他の構成例を示すブロック図である。
【図２９】図１のネットワーク制御装置７の他の構成例を示すブロック図である。
【符号の説明】
１  カード供給者，  ２  カード，  ３  カード購入者，  ４，４−１，４−２  通信端末，  ５  カード受領者，  ６  ネットワーク，  ７  ネットワーク制御装置，  ８  データベース，  ２１  CPU，  ２３  RAM，  ２６  入力部，２８  記憶部，  ２９  通信部，  ４１  CPU，  ４３  RAM，  ４６  ダイヤル入力部，  ４７  マイクロフォン，  ４８  スピーカ，  ４９  LCD，  ５０通信部
【図１】
0004041939.tif 000002
【図２】
0004041939.tif 000003
【図３】
0004041939.tif 000004
【図４】
0004041939.tif 000005
【図５】
0004041939.tif 000006
【図６】
0004041939.tif 000007
【図７】
0004041939.tif 000008
【図８】
0004041939.tif 000009
【図９】
0004041939.tif 000010
【図１０】
0004041939.tif 000011
【図１１】
0004041939.tif 000012
【図１２】
0004041939.tif 000013
【図１３】
0004041939.tif 000014
【図１４】
0004041939.tif 000015
【図１５】
0004041939.tif 000016
【図１６】
0004041939.tif 000017
【図１７】
0004041939.tif 000018
【図１８】
0004041939.tif 000019
【図１９】
0004041939.tif 000020
【図２０】
0004041939.tif 000021
【図２１】
0004041939.tif 000022
【図２２】
0004041939.tif 000023
【図２３】
0004041939.tif 000024
【図２４】
0004041939.tif 000025
【図２５】
0004041939.tif 000026
【図２６】
0004041939.tif 000027
【図２７】
0004041939.tif 000028
【図２８】
0004041939.tif 000029
【図２９】
0004041939.tif 000030